(57)【要約】【課題】本発明は、無線放送受信装置に関し、放送波の弱入力受信時においてアンテナ切替に伴うノイズの発生を抑制しつつ高い受信性能を確保することにある。【解決手段】複数のアンテナを備え、該複数のアンテナのうち受信状態に応じて選択した一つのアンテナを用いて放送波を受信するダイバシティ動作を行う無線放送受信装置において、受信周波数にて入力信号レベルＬが所定の第１レベルＬ１以下になった後、放送波を受信する受信アンテナとして選択されたアンテナに関する情報をメモリに各アンテナ別に記憶する。そして、受信周波数にて入力信号レベルＬが所定の第１レベルＬ１よりも低い所定の第２レベルＬ２以下となった場合、ダイバシティ動作を停止させると共に、その直前の所定期間中に受信アンテナとして選択されたアンテナに関するパラメータの比較を行うことで、受信アンテナをよりアンテナ性能の高いアンテナに固定するホールド動作を行う。【選択図】図４
2008259052.tif 000002
【特許請求の範囲】
【請求項１】
複数のアンテナと、該複数のアンテナのうち受信状態に応じて選択した一つのアンテナを用いて放送波を受信するダイバシティ動作を行う受信制御手段と、を備える無線放送受信装置であって、
前記受信制御手段は、受信周波数にて入力信号レベルが所定のしきい値レベル以下である場合は、前記ダイバシティ動作を停止させて、放送波を受信するアンテナをよりアンテナ性能の高いアンテナに固定するホールド動作を行うことを特徴とする無線放送受信装置。
【請求項２】
受信周波数にて入力信号レベルが前記所定のしきい値レベル以下となる直前の所定期間中に放送波を受信するアンテナとして選択されたアンテナに関するパラメータの比較を行う比較手段を備え、
前記受信制御手段は、受信周波数にて入力信号レベルが前記所定のしきい値レベル以下である場合は、放送波を受信するアンテナを、前記比較手段による比較結果に応じたアンテナに固定することを特徴とする請求項１記載の無線放送受信装置。
【請求項３】
受信周波数にて入力信号レベルが前記所定のしきい値レベルよりも高い所定の比較レベル以下になった後、放送波を受信するアンテナとして選択されたアンテナに関する情報を各アンテナ別に記憶する記憶手段を備え、
前記比較手段は、受信周波数にて入力信号レベルが前記所定のしきい値レベル以下となる直前の所定期間中における、アンテナごとの前記記憶手段に記憶される情報に基づくパラメータを比較することを特徴とする請求項２記載の無線放送受信装置。
【請求項４】
前記パラメータが、放送波を受信するアンテナとして選択された頻度、累積時間、累積移動距離、持続時間、若しくは持続移動距離、又は、自己のアンテナが放送波を受信するアンテナとして選択された期間における平均の入力信号レベルであり、
前記受信制御手段は、受信周波数にて入力信号レベルが前記所定のしきい値レベル以下である場合は、放送波を受信するアンテナを、前記比較手段による比較により前記頻度が最も高い若しくは前記累積時間、前記累積移動距離、前記持続時間、若しくは前記持続移動距離が最も長い又は前記平均の入力信号レベルが最も高いアンテナに固定することを特徴とする請求項２又は３記載の無線放送受信装置。
【請求項５】
前記パラメータが、自己のアンテナの入力信号レベルが前記所定のしきい値レベル以下となる頻度であり、
前記受信制御手段は、受信周波数にて入力信号レベルが前記所定のしきい値レベル以下である場合は、放送波を受信するアンテナを、前記比較手段による比較により前記頻度が最も低いアンテナに固定することを特徴とする請求項２又は３記載の無線放送受信装置。
【請求項６】
受信周波数ごとに予め定められた、入力信号レベルが前記所定のしきい値レベル以下であるときに放送波を受信するアンテナとして固定すべき固定アンテナの情報を記憶する記憶手段を備え、
前記受信制御手段は、受信周波数にて入力信号レベルが前記所定のしきい値レベル以下である場合は、放送波を受信するアンテナを、前記記憶手段に記憶された該受信周波数に対応するアンテナに固定することを特徴とする請求項１記載の無線放送受信装置。
【発明の詳細な説明】
【技術分野】
【０００１】
本発明は、無線放送受信装置に係り、特に、少なくとも２つのアンテナのうち受信状態に応じて選択した一つのアンテナを用いて放送波を受信するダイバシティ動作を行う無線放送受信装置に関する。
【背景技術】
【０００２】
従来、車両などの移動体に搭載され、少なくとも２つのアンテナのうち受信状態に応じて選択した一つのアンテナを用いてＦＭ波などの放送波を受信するダイバシティ動作を行う無線放送受信装置が知られている（例えば、特許文献１〜３参照）。これらの受信装置においては、受信電界強度が検出され、その検出した入力信号レベルに応じて、受信状態の良いアンテナが、放送波を受信すべきアンテナとして選択されて切り替えられる。このため、放送波の受信状態をできるだけ良好なものとすることが可能となっている。
【０００３】
また、上記した特許文献２や３記載の受信装置においては、受信した入力信号レベルが所定値以下の弱電界強度である場合、放送波を受信すべきアンテナがメイン側のアンテナに固定されるものとなっている。更に、上記した特許文献１記載の受信装置においては、受信した入力信号レベルが所定値以下になった場合、復調後の音声信号の歪みレベルが検出されて、その歪みレベルに基づいて放送波を受信すべきアンテナが決定されるものとなっている。
【特許文献１】特開２０００−３０７４９１号公報
【特許文献２】特開平１−１４６４３４号公報
【特許文献３】実開昭６１−２６３４５号公報
【発明の開示】
【発明が解決しようとする課題】
【０００４】
しかしながら、受信した入力信号レベルが所定値以下になった場合にも実際にはメイン側のアンテナよりもサブ側のアンテナの方が優れたアンテナ性能を有するときがあるため、上記した特許文献２や３記載の装置の如く入力信号レベルが所定値以下になった場合に放送波を受信すべきアンテナが常にメイン側のアンテナに固定されるものとすると、アンテナ切替に伴うノイズの発生が回避される一方で、受信状況が相対的に悪化することが多くなるおそれがある。また、復調後の音声信号の歪みレベルは放送内容に応じて変動するため、上記した特許文献１記載の装置の如く復調後の音声信号の歪みレベルに基づいて放送波を受信すべきアンテナが決定されるものとすると、放送内容によっては最適なアンテナの選択を誤ってしまうことがある。
【０００５】
本発明は、上述の点に鑑みてなされたものであり、放送波の弱入力受信時においてアンテナ切替に伴うノイズの発生を抑制しつつ高い受信性能を確保した無線放送受信装置を提供することを目的とする。
【課題を解決するための手段】
【０００６】
上記の目的は、複数のアンテナと、該複数のアンテナのうち受信状態に応じて選択した一つのアンテナを用いて放送波を受信するダイバシティ動作を行う受信制御手段と、を備える無線放送受信装置であって、前記受信制御手段は、受信周波数にて入力信号レベルが所定のしきい値レベル以下である場合は、前記ダイバシティ動作を停止させて、放送波を受信するアンテナをよりアンテナ性能の高いアンテナに固定するホールド動作を行う無線放送受信装置により達成される。
【０００７】
この態様の発明において、受信周波数にて入力信号レベルが所定のしきい値レベル以下である場合は、ダイバシティ動作が停止されるので、アンテナ切替に伴うノイズの発生が抑制される。また、この場合は、放送波を受信するアンテナがアンテナ性能の高いアンテナに固定されるので、高い受信性能が確保される。従って、本発明によれば、放送波の弱入力受信時においてアンテナ切替に伴うノイズの発生を抑制しつつ高い受信性能を確保することができる。
【０００８】
尚、上記した無線放送受信装置において、受信周波数にて入力信号レベルが前記所定のしきい値レベル以下となる直前の所定期間中に放送波を受信するアンテナとして選択されたアンテナに関するパラメータの比較を行う比較手段を備え、前記受信制御手段は、受信周波数にて入力信号レベルが前記所定のしきい値レベル以下である場合は、放送波を受信するアンテナを、前記比較手段による比較結果に応じたアンテナに固定することとすれば、放送波の弱入力受信時にその時点でアンテナ性能の高い最適なアンテナを受信に用いるアンテナとして固定することができる。
【０００９】
この無線放送受信装置において、受信周波数にて入力信号レベルが前記所定のしきい値レベルよりも高い所定の比較レベル以下になった後、放送波を受信するアンテナとして選択されたアンテナに関する情報を各アンテナ別に記憶する記憶手段を備え、前記比較手段は、受信周波数にて入力信号レベルが前記所定のしきい値レベル以下となる直前の所定期間中における、アンテナごとの前記記憶手段に記憶される情報に基づくパラメータを比較することとすればよい。
【００１０】
尚、上記した無線放送受信装置において、前記パラメータが、放送波を受信するアンテナとして選択された頻度、累積時間、累積移動距離、持続時間、若しくは持続移動距離、又は、自己のアンテナが放送波を受信するアンテナとして選択された期間における平均の入力信号レベルであり、前記受信制御手段は、受信周波数にて入力信号レベルが前記所定のしきい値レベル以下である場合は、放送波を受信するアンテナを、前記比較手段による比較により前記頻度が最も高い若しくは前記累積時間、前記累積移動距離、前記持続時間、若しくは前記持続移動距離が最も長い又は前記平均の入力信号レベルが最も高いアンテナに固定することとしてもよい。
【００１１】
また、上記した無線放送受信装置において、前記パラメータが、自己のアンテナの入力信号レベルが前記所定のしきい値レベル以下となる頻度であり、前記受信制御手段は、受信周波数にて入力信号レベルが前記所定のしきい値レベル以下である場合は、放送波を受信するアンテナを、前記比較手段による比較により前記頻度が最も低いアンテナに固定することとしてもよい。
【００１２】
尚、上記した無線放送受信装置において、受信周波数ごとに予め定められた、入力信号レベルが前記所定のしきい値レベル以下であるときに放送波を受信するアンテナとして固定すべき固定アンテナの情報を記憶する記憶手段を備え、前記受信制御手段は、受信周波数にて入力信号レベルが前記所定のしきい値レベル以下である場合は、放送波を受信するアンテナを、前記記憶手段に記憶された該受信周波数に対応するアンテナに固定することとすれば、放送波の弱入力受信時にアンテナ性能の高いものと推定される最適なアンテナを受信に用いるアンテナとして固定することができる。
【発明の効果】
【００１３】
本発明によれば、放送波の弱入力受信時においてアンテナ切替に伴うノイズの発生を抑制しつつ高い受信性能を確保することができる。
【発明を実施するための最良の形態】
【００１４】
以下、図面を用いて、本発明の具体的な実施の形態について説明する。
【００１５】
図１は、本発明の一実施例である無線放送受信装置１０の構成図を示す。また、図２は、本実施例の無線放送受信装置１０の備えるアンテナの特性を表した図を示す。尚、図２（Ａ）には周波数特性が、また、図２（Ｂ）にはアンテナ指向性特性が、それぞれ示されている。本実施例の無線放送受信装置１０は、移動体としての車両に搭載されており、例えば、７６ＭＨｚ〜９０ＭＨｚのＦＭ放送や９０ＭＨｚ〜７７０ＭＨｚのＴＶ放送などの放送波を受信するダイバシティ機能付き受信装置である。
【００１６】
図１に示す如く、無線放送受信装置１０は、複数のアンテナ１２（本実施例では２つのアンテナ１２ａ，１２ｂ）を備えている。アンテナ１２ａ，１２ｂはそれぞれ、例えば、車両のフロントガラスやリヤガラス，サイドガラスなどに貼られたシート状に形成されたアンテナである。アンテナ１２ａと１２ｂとは、互いに異なる周波数特性及び互いに異なる指向性特性を有している。例えば、アンテナ１２ａは、図２（Ａ）に示す如く周波数ｆ１〜ｆ２間においてアンテナ１２ｂよりも優れたアンテナ感度を有する。また、アンテナ１２ｂは、図２（Ｂ）に示す如くアンテナ１２ａを補完するような指向性特性を有している。以下、適宜、アンテナ１２ａをメインアンテナ１２ａと、アンテナ１２ｂをサブアンテナ１２ｂと、それぞれ称す。
【００１７】
アンテナ１２ａ，１２ｂは何れも、切替器１４に接続されている。切替器１４は、後述の切替制御器からの指示に従って、放送波を受信する受信アンテナをアンテナ１２ａ，１２ｂの何れか一方に切り替える回路である。アンテナ１２ａ，１２ｂには、上記した切替器１４を介して、高周波増幅器１６が接続されている。高周波増幅器１６は、切替器１４により放送波を受信する受信アンテナとして選択されているアンテナ１２ａ，１２ｂに受信された受信信号を高周波増幅する回路である。
【００１８】
高周波増幅器１６には、ミキサ１８が接続されている。高周波増幅器１６で生成された受信信号は、ミキサ１８に入力される。また、ミキサ１８には、局部発振器２０が接続されている。局部発振器２０は、選局されているチャネルにより特定される受信周波数の信号から中間周波信号を取り出すために必要な周波数信号を生成してミキサ１８に供給する回路である。ミキサ１８は、局部発振器２０から供給される周波数信号に基づいて、高周波増幅器１６から入力された受信信号を中間周波信号（例えば、高周波増幅器１６からの受信信号の周波数と局部発振器２０からの周波数信号の周波数との差分の周波数を有するもの）に変換する回路である。
【００１９】
ミキサ１８には、中間周波増幅器２２を介して復調器２４が接続されている。ミキサ１８で生成された中間周波信号は、中間周波増幅器２２に入力される。中間周波増幅器２２は、中間周波信号の中間周波成分を増幅して復調器２４に供給する回路である。また、復調器２４は、中間周波増幅器２２から入力された中間周波信号を音声信号や映像信号に復調して、スピーカやディスプレイから出力するための回路である。
【００２０】
中間周波増幅器２２には、また、電界強度検知器２６が接続されている。中間周波増幅器２２で生成された中間周波信号は、電界強度検知器２６に入力される。電界強度検知器２６は、中間周波増幅器２２から入力された中間周波信号に基づいて、受信アンテナ１２で受信した入力信号のレベルすなわち電界強度を測定する。
【００２１】
電界強度検知器２６には、切替器１４における受信アンテナ１２の切替を制御する切替制御器２８が接続されている。電界強度検知器２６で測定された入力信号レベルを示す情報は、切替制御器２８に入力される。切替制御器２８は、後述の如く、電界強度検知器２６から供給された入力信号レベルに基づいて、放送波を受信する受信アンテナをアンテナ１２ａと１２ｂとのうちから選択し、その選択したアンテナ１２ａ，１２ｂが放送波を受信するように切替器１４に対して指示を行う。
【００２２】
復調器２４には、ハイパスフィルタ３０を介してノイズ増幅器３２が接続されている。ハイパスフィルタ３０は、復調器２４から供給される出力信号からノイズ成分を抽出する。また、ノイズ増幅器３２は、ハイパスフィルタ３０で抽出されたノイズ成分を所定の利得で増幅する。尚、このノイズ増幅器３２における利得は、ノイズ増幅器３２から出力されるノイズ成分のレベルが一定となるようにフィードバック制御される。
【００２３】
ノイズ増幅器３２には、上記した切替制御器２８が接続されている。ノイズ増幅器３２から出力されるノイズ成分は、切替制御器２８に入力される。切替制御器２８は、ノイズ増幅器３２から出力されたノイズ成分の数をカウントするカウンタを有しており、単位時間内に所定数以上のカウントがなされた場合に、受信状態が悪いとして、放送波を受信する受信アンテナとして選択するアンテナ１２ａ，１２ｂを切り替えるように切替器１４に対して指示を行う。切替器１４は、切替制御器２８からの指示に従って、受信アンテナとして選択するアンテナ１２ａ，１２ｂを切り替える。
【００２４】
このように、本実施例の無線放送受信装置１０においては、各受信チャンネル（各受信周波数）ごとに、放送波を受信する受信アンテナを受信状態に応じてアンテナ１２ａ，１２ｂのうちから一つ選択して切り替えることができ、２つのアンテナ１２ａ，１２のうち受信状態に応じて選択した一つのアンテナを用いて放送波を受信するダイバシティ動作を実現することができる。このため、無線放送受信装置１０における放送波の受信をできるだけ良好なものとすることが可能となっている。
【００２５】
ところで、同一の受信チャンネルにおいても、受信した入力信号の電界強度が弱電界強度である場合には、復調器２４で復調された出力信号に含まれるノイズ成分のＳ／Ｎ比が極端に悪化する。このため、ノイズ増幅器３２から出力されるノイズ成分の数が著しく増加し、切替器１４による受信アンテナの切り替えが繰り返し行われる事態が生じ得、これにより、アンテナ切替に伴うノイズが発生し易くなり、良好な受信状態を維持することができなくなってしまう。
【００２６】
そこで、本実施例の無線放送受信装置１０は、受信チャンネルごとに、放送波の弱入力受信時においてアンテナ切替に伴うノイズの発生を抑制しつつ高い受信性能を維持することとしている。以下、図３及び図４を参照して、本実施例の特徴部について説明する。図３は、本実施例の無線放送受信装置１０において切替制御器２８が実行する制御動作を説明するための図を示す。また、図４は、本実施例の無線放送受信装置１０において切替制御器２８が実行する制御ルーチンの一例のフローチャートを示す。
【００２７】
本実施例の無線放送受信装置１０において、切替制御器２８には、電界強度検知器２６から入力信号の電界強度を示すレベルＬが入力されると共に、ノイズ増幅器３２からノイズ成分が入力される。切替制御器２８は、電界強度検知器２６から供給された入力信号レベルＬに関し、互いに異なるように設定された２つのしきい値レベルを予め有している。一方のしきい値レベルは、通常どおりのダイバシティ動作を行わせるか否かを定める所定の第１レベルＬ１であり、比較的高い電界強度に設定されている。また、他方のしきい値レベルは、ダイバシティ動作を停止させて受信アンテナを何れかのアンテナ１２ａ，１２ｂに固定させるか否かを定める所定の第２レベルＬ２であり、上記の第１レベルよりも比較的低い電界強度に設定されている。
【００２８】
切替制御器２８は、電界強度検知器２６から供給される入力信号レベルＬを検知する（ステップ１００）。そして、その検知した入力信号レベルＬを上記した所定の第１レベルＬ１及び第２レベルＬ２と比較する。そして、その入力信号レベルＬが所定の第１レベルＬ１を超えている場合（ステップ１０２における肯定判定時）は、通常どおり、２つのアンテナ１２ａ，１２のうちノイズ増幅器３２から入力されるノイズ成分に基づく受信状態に応じて選択した一つのアンテナを用いて放送波を受信するダイバシティ動作を実現させる（ステップ１０４）。この場合には、切替器１４の作動により受信状態に応じて選択される一つのアンテナ１２ａ，１２ｂが、放送波を受信する受信アンテナとして機能することになる。
【００２９】
また、切替制御器２８は、電界強度検知器２６から供給された入力信号レベルＬが所定の第１レベルＬ１以下である一方で第２レベルＬ２を超えている場合（ステップ１０６における肯定判定時）は、上記したダイバシティ動作を継続させる（ステップ１０８）一方、その入力信号レベルＬが所定の第１レベルＬ１を超える状態からその第１レベルＬ１以下になった以後、ダイバシティ動作により放送波を受信するアンテナとして選択されたアンテナ１２ａ，１２ｂに関する情報を各アンテナ１２ａ，１２ｂ別にメモリ３４に記憶させる（ステップ１１０）。
【００３０】
尚、メモリ３４に記憶される情報としては、例えば、入力信号レベルＬが第１レベルＬ１以下になった以後、所定時間若しくは車両の所定移動距離ごとにおける放送波を受信するアンテナとして選択されるか否かの有無、放送波を受信するアンテナとして選択されている際にその選択状態が切り替わることなく継続する持続時間若しくは車両の持続移動距離、又は放送波を受信するアンテナとして選択されている際の入力信号レベルＬなどがある。
【００３１】
この場合には、切替器１４の作動により受信状態に応じて選択される一つのアンテナ１２ａ，１２ｂが、放送波を受信する受信アンテナとして機能することになると共に、また、受信アンテナとして選択されたアンテナ１２ａ，１２ｂに関する情報がアンテナ１２ａ，１２ｂ別にメモリ３４に記憶されることになる。尚、メモリ３４に記憶される情報は、記憶開始後、ある程度の時間が経過するまで若しくは車両がある程度の距離移動するまで継続して記憶されることとすればよく、その後は消去されてもよい。
【００３２】
更に、切替制御器２８は、電界強度検知器２６から供給された入力信号レベルＬが所定の第２レベルＬ２以下である場合（ステップ１０６における否定判定時）は、上記したダイバシティ動作を停止させる（ステップ１１２）と共に、放送波を受信する受信アンテナをアンテナ１２ａ，１２ｂのうちの何れか一方に固定させるホールド動作を実現させる（ステップ１１４）。
【００３３】
具体的には、切替制御器２８は、ホールド動作により受信アンテナを固定するアンテナ１２ａ，１２ｂを決定するため、まず、メモリ３４から、その入力信号レベルＬがその第２レベルＬ２以下になる直前の、入力信号レベルＬが第２レベルＬ２を超えるダイバシティ動作が実現されている所定期間（ある程度の時間や移動距離）中における受信アンテナとして選択されたアンテナ１２ａ，１２ｂに関する情報を読み出す。そして、アンテナ１２ａ，１２ｂ別に、その所定期間中における受信アンテナとして選択された際の時間を合計した累積時間若しくは移動距離を合計した累積移動距離を算出し、その所定期間中における受信アンテナとして選択された一回当たりの持続時間若しくは持続移動距離が最も長いものを抽出し、又はその所定期間中における受信アンテナとして選択された際の入力信号レベルＬの単位時間当たり若しくは単位距離当たりの平均値を算出する。
【００３４】
次に、このように算出・抽出したアンテナ１２ａ，１２ｂごとのメモリ３４から読み出した情報に基づくパラメータを互いに比較する。その比較の結果、アンテナ１２ａ，１２ｂのうち、上記の所定期間中に放送波を受信する受信アンテナとして選択された累積時間、累積移動距離、持続時間、若しくは持続移動距離が最も長い又はその入力信号レベルＬの平均値が最も高いアンテナ１２ａ，１２ｂを、放送波を受信する受信アンテナとして選択する。そして、放送波を受信する受信アンテナがその選択したアンテナ１２ａ，１２ｂに固定されるように切替器１４に対して指示を行う。
【００３５】
従って、ステップ１０６における否定判定時は、以後、切替器１４の作動により選択されるアンテナ１２ａ，１２ｂのうちの何れか一方が継続して放送波を受信する受信アンテナとして機能することになる。
【００３６】
このように、本実施例の無線放送受信装置１０においては、電界強度検知器２６から供給される入力信号レベルＬが所定の第２レベルＬ２を超えている場合すなわち放送波の受信電界強度が比較的強い場合（図３に示すダイバシティ動作領域）は、ダイバシティ動作により２つのアンテナ１２ａ，１２のうち受信状態に応じて選択された一つのアンテナを用いて放送波が受信される。一方、電界強度検知器２６から供給される入力信号レベルＬが所定の第２レベルＬ２以下である場合すなわち放送波の受信電界強度が比較的弱い場合（図３に示すホールド動作領域）は、ホールド動作により、その入力信号レベルＬがその所定の第２レベルＬ２以下となる直前の所定期間中にダイバシティ動作により放送波を受信する受信アンテナとして選択された累積時間、累積移動距離、持続時間、若しくは持続移動距離が最も長い又はその入力信号レベルＬの平均値が最も高いアンテナ１２ａ，１２ｂのみを用いて放送波が受信される。
【００３７】
入力信号レベルＬがその所定の第２レベルＬ２以下となる直前の所定期間中にダイバシティ動作により放送波を受信する受信アンテナとして選択されたアンテナ１２ａ，１２ｂの累積時間、累積移動距離、持続時間、若しくは持続移動距離が比較的長ければ、又は、その入力信号レベルＬの平均値が比較的高ければ、そのアンテナ１２ａ，１２ｂが現状においても他のアンテナ１２ｂ，１２ａよりも相対的にアンテナ性能の高いアンテナである推定することができる。
【００３８】
このため、本実施例の無線放送受信装置１０によれば、放送波の受信電界強度が比較的弱いものとなった場合、放送波を受信する受信アンテナが、例えば常にメインアンテナ１２ａに固定される構成と異なり、その時点での受信状況に合わせてアンテナ１２ａ，１２ｂのうち比較的アンテナ性能の高い方に固定される。尚、この場合には、ダイバシティ動作は停止されるので、アンテナ切替に伴うノイズの発生が抑制され、かかるノイズが顕在化し易くなるのが防止される。従って、本実施例の無線放送受信装置１０によれば、各受信チャンネルでの放送波の弱入力受信時においてアンテナ切替に伴うノイズの発生を抑制しつつ高い受信性能を確保することが可能となっている。
【００３９】
尚、上記の実施例においては、第２レベルが特許請求の範囲に記載した「所定のしきい値レベル」に、第１レベルが特許請求の範囲に記載した「所定の比較レベル」に、メモリ３４が特許請求の範囲に記載した「記憶手段」に、それぞれ相当していると共に、切替制御器２８が、上記図４に示すルーチン中ステップ１１２，１１４の処理を実行することにより特許請求の範囲に記載した「受信制御手段」が、受信周波数にて入力信号レベルが第２レベル以下となる直前の所定期間中における、アンテナ１２ごとのメモリ３４に記憶される情報に基づくパラメータを互いに比較することにより特許請求の範囲に記載した「比較手段」が、それぞれ実現されている。
【００４０】
ところで、上記の実施例においては、無線受信装置１０を車両に搭載するものとしたが、移動体として電波受信環境が変化し得る使用者に携帯される携帯機などに搭載することとしてもよいし、また、車両や携帯機などの移動体に限らず、周辺物の移動によって電波受信環境が変化し得る固定物に設置することとしてもよい。
【００４１】
また、上記の実施例においては、ダイバシティ動作を実施させる対象のアンテナ１２を２つ設けることとしたが、本発明はこれに限定されるものではなく、３つ以上のアンテナ１２をその対象としたものに適用することとしてもよい。
【００４２】
また、上記の実施例においては、入力信号レベルＬが第２レベルＬ２以下となる放送波の弱入力受信時に受信アンテナとして固定すべき固定アンテナを、メインアンテナ１２ａとサブアンテナ１２ｂとのうちから、入力信号レベルＬがその所定の第２レベルＬ２以下となる直前の所定期間中にダイバシティ動作により放送波を受信する受信アンテナとして選択されたアンテナ１２ａ，１２ｂ別の累積時間、累積移動距離、持続時間、若しくは持続移動距離又はその期間中における入力信号レベルＬの平均に基づいて決定することとしている。しかし、本発明はこれに限定されるものではなく、その所定期間中にダイバシティ動作により受信アンテナとして選択された頻度に基づいて（具体的には、その頻度の最も高い方に）決定することとしてもよいし、また、その所定期間中に入力信号レベルＬが所定の第２レベルＬ２以下となる頻度に基づいて（具体的には、その頻度の最も低い方に）決定することとしてもよい。これらの変形例においても、上記第１実施例と同様の効果を得ることが可能となる。
【００４３】
また、上記の実施例においては、アンテナ１２における受信状態の判定を、復調器２４から出力される出力信号から抽出されるノイズ成分に基づいて行うこととしているが、本発明はこれに限定されるものではなく、チューナー側にて検出されるマルチパスノイズや高周波ノイズに基づいて行うこととしてもよいし、また、アンテナ１２ａ，１２ｂにおける各入力信号レベル（電界強度）の双方を同時に検出可能なシステムであれば、その入力信号レベルに基づいて行うこととしてもよい。
【００４４】
更に、上記の実施例においては、入力信号レベルＬが第２レベルＬ２以下となる放送波の弱入力受信時に受信アンテナとして固定すべき固定アンテナを、放送波の受信電界強度が比較的弱くなる直前の所定期間中に実際に受信アンテナとして選択されたアンテナに関するパラメータの比較を行うことで、その時々の受信状態に合わせてよりアンテナ性能の高いアンテナ１２ａ，１２ｂに決定することとしているが、本発明はこれに限定されるものではない。
【００４５】
すなわち、メインアンテナ１２ａとサブアンテナ１２ｂとは、図２（Ａ）に示す如く互いに異なる周波数特性を有している。そこで、本変形例においては、予め、かかるアンテナ１２ごとの周波数特性に対応させて、各受信周波数ごとに弱入力受信時に放送波を受信する受信アンテナとして固定すべき固定アンテナ１２の情報を切替制御器２８のメモリ（尚、このメモリが請求項６に記載した「記憶手段」に相当する。）に記憶させたうえで、受信周波数での弱入力受信時にその受信周波数にてよりアンテナ性能の最も良い（入力信号レベルＬが最も高い）アンテナ１２の情報をそのメモリから読み出して、そのアンテナ１２を放送波を受信する受信アンテナとして固定することとしてもよい。
【００４６】
かかる変形例の構成においては、放送波の入力信号レベルＬが所定の第２レベルＬ２以下となりその受信電界強度が比較的弱いものとなった場合、放送波を受信する受信アンテナが、例えば常にメインアンテナ１２ａに固定される構成と異なり、その時点での受信周波数に合わせてアンテナ１２ａ，１２ｂのうち比較的アンテナ性能の高いと推定される方に固定される。尚、この場合には、ダイバシティ動作は停止されるので、アンテナ切替に伴うノイズの発生が抑制され、かかるノイズが顕在化し易くなるのが防止される。従って、本変形例の無線放送受信装置においても、各受信チャンネルでの放送波の弱入力受信時においてアンテナ切替に伴うノイズの発生を抑制しつつ高い受信性能を確保することが可能となる。
【図面の簡単な説明】
【００４７】
【図１】本発明の一実施例である無線放送受信装置の構成図である。
【図２】本実施例の無線放送受信装置の備えるアンテナの特性を表した図である。
【図３】本実施例の無線放送受信装置における制御動作を説明するための図である。
【図４】本実施例の無線放送受信装置において実行される制御ルーチンの一例のフローチャートである。
【符号の説明】
【００４８】
１０  無線受信装置
１２  受信アンテナ
１４  切替器
２６  電界強度検知器
２８  切替制御器
３４  メモリ
【図１】
2008259052.tif 000003
【図２】
2008259052.tif 000004
【図３】
2008259052.tif 000005
【図４】
2008259052.tif 000006